(57)【要約】      （修正有）【課題】容易に複数の視聴者がそれぞれ注目する別々のオブジェクトを特定するための情報を発信することができる表示装置等を提供する。【解決手段】表示面を分割した複数の範囲の内、一の範囲を特定する範囲特定情報及び前記表示面のコンテンツを特定するコンテンツ特定情報に基づいた信号であって前記コンテンツを撮像する情報利用装置で検知可能な信号を前記一の範囲に出力する出力部を備え、さらに、前記信号を前記コンテンツに重畳する重畳部を備えることを特徴とする表示装置１。【選択図】図１
2017073665.tif 000002
【特許請求の範囲】
【請求項１】
表示面を分割した複数の範囲の内、一の範囲を特定する範囲特定情報及び前記表示面のコンテンツを特定するコンテンツ特定情報に基づいた信号であって前記コンテンツを撮像する情報利用装置で検知可能な信号を前記一の範囲に出力する出力部
を備える表示装置。
【請求項２】
前記信号を前記コンテンツに重畳する重畳部
を備える請求項１に記載の表示装置。
【請求項３】
前記範囲特定情報及びコンテンツ特定情報を暗号化する暗号部を備え、
該暗号部で暗号化した範囲特定情報及びコンテンツ特定情報を前記信号に変換する
請求項１又は請求項２に記載の表示装置。
【請求項４】
前記信号は、自身が設置された場所を特定するための設置場所特定情報、前記コンテンツ特定情報及び前記範囲特定情報に基づく信号である
請求項１から請求項３のいずれか１つに記載の表示装置。
【請求項５】
前記出力部は、前記信号を放射する光で出力する
請求項１から請求項４のいずれか１つに記載の表示装置。
【請求項６】
コンテンツを表示する表示面を備える表示装置及び該コンテンツを撮像する撮像部を備える情報利用装置を備える情報処理システムであって、
前記表示装置は、
前記表示面を分割した複数の範囲の内、一の範囲を特定する範囲特定情報及び前記表示面のコンテンツを特定するコンテンツ特定情報に基づいた信号であって前記コンテンツを撮像する情報利用装置で検知可能な信号を前記一の範囲に出力する出力部を備え、
前記情報利用装置は、
前記信号を取得する取得部と、
該取得部で取得した信号から前記コンテンツ特定情報及び範囲特定情報を抽出する抽出部と
を備える
情報処理システム。
【請求項７】
表示面を分割した複数の範囲の内、一の範囲を特定する範囲特定情報及び前記表示面のコンテンツを特定するコンテンツ特定情報に基づいた信号であって前記コンテンツを撮像する情報利用装置で検知可能な信号を前記一の範囲に出力し、
前記信号を取得し、
取得した信号から前記コンテンツ特定情報及び範囲特定情報を抽出する
情報処理方法。
【請求項８】
信号を取得する取得部と、
該取得部で取得した信号から前記表示面を分割した複数の範囲の内、一の範囲を特定する範囲特定情報及び前記表示面のコンテンツを特定するコンテンツ特定情報を抽出する抽出部と、
該抽出部で抽出したコンテンツ特定情報及び範囲特定情報を情報処理装置へ出力する出力部と、
前記コンテンツ特定情報及び範囲特定情報に基づいて特定され、前記表示面に表示されたオブジェクトに関連する関連情報を前記情報処理装置から取得する関連情報取得部と
を備える情報利用装置。
【請求項９】
表示装置の表示面を分割した複数の範囲の内、一の範囲を特定する範囲特定情報及び前記表示面のコンテンツを特定するコンテンツ特定情報を情報利用装置から取得し、
取得したコンテンツ特定情報及び範囲特定情報に基づいて特定され、前記表示面に表示されたオブジェクトに関連する関連情報を前記情報利用装置へ出力する
関連情報出力方法。
【発明の詳細な説明】
【技術分野】
【０００１】
本発明は、映像の視聴者が注目するオブジェクトを特定するための情報を表示する表示装置等に関する。
【背景技術】
【０００２】
従来、テレビ放送番組や広告等、試聴者への情報提供サービスにおいて、試聴者からの反応や評価情報を収集調査する事によって、配信した情報（配信コンテンツ）の価値や効果を数値化することが行われている。例えば、テレビ放送番組においては視聴率、広告配信においては広告の通知効果を数値化することで、番組の制作方針や広告等に起用する出演者やデザインを検討して、更にその価値を高めることが目的である。そのために、配信している情報（配信コンテンツ）に関する視聴者の反応を精度良く収集する技術が求められている。
【０００３】
視聴者の反応として、その番組を観ているかどうか（従来からの視聴率等）では不十分であり、どの番組の、どのシーンに興味があるか、そのシーンに映っているもの、例えば人物、物体、背景等、の表示オブジェクトの何にその視聴者が興味を持っているかを知る手段が必要とされている。
【０００４】
視聴者の興味対象を推定する手段して、視聴者の視線を予測することで視聴者が注目する画面上のオブジェクトを特定する技術が知られている（例えば特許文献１）。
【０００５】
また、予め配信コンテンツに、電子透かし技術を用いて、「各種情報」を埋め込んで配信したり、あるいは、受信機において受信した映像オブジェクトに「各種情報」を重畳し表示する技術もあった（例えば、特許文献２）。
【０００６】
これら、「各種情報」を埋め込む電子透かし技術は、主に著作権管理において、不正利用等を判断するために利用収集のためのであるが、その「各種情報」を上期特許文献１等の技術を用いれば、ユーザの興味対象を知ることも可能であった。
【先行技術文献】
【特許文献】
【０００７】
【特許文献１】特開２０１５−９５２６０号公報
【特許文献２】特開２００３−３２４７１号公報
【発明の概要】
【発明が解決しようとする課題】
【０００８】
しかし、特許文献１に開示された技術では、ユーザの目の動きをキャプチャするための画像センサを含むため、システムが複雑になるという問題がある。
【０００９】
更に、この技術では、複数の視聴者が同時に同じコンテンツを視聴している状況において、それぞれの視聴者の興味対象となっている視線を判別しようとすると、複数のカメラを用いる必要があり現実的ではない。
【００１０】
特許文献２に開示された技術では、電子透かし情報を作成するための処理が必要であり
特に、ＴＶ受信機等（表示装置）単体で、動画再生表示中に、各画面（映像フレーム）に映し出されているオブジェクトの有無・範囲大きさを判定し、それぞれに電子透かし情報を重畳する処理を行うためには、高速かつ高度な画像処理が要求されるために、実現が困難であった。
【００１１】
本発明は斯かる事情に鑑みてなされたものであり、その目的とするところは、容易に複数の視聴者がそれぞれ注目する別々のオブジェクトを特定するための情報を発信することができる表示装置等を提供することにある。
【課題を解決するための手段】
【００１２】
本発明に係る表示装置は、表示面を分割した複数の範囲の内、一の範囲を特定する範囲特定情報及び前記表示面のコンテンツを特定するコンテンツ特定情報に基づいた信号であって前記コンテンツを撮像する情報利用装置で検知可能な信号を前記一の範囲に出力する出力部を備える。
【００１３】
本発明に係る表示装置は、前記信号を前記コンテンツに重畳する重畳部を備える。
【００１４】
本発明に係る表示装置は、前記範囲特定情報及びコンテンツ特定情報を暗号化する暗号部を備え、該暗号部で暗号化した範囲特定情報及びコンテンツ特定情報を前記信号に変換する。
【００１５】
本発明に係る表示装置は、前記信号は、自身が設置された場所を特定するための設置場所特定情報、前記コンテンツ特定情報及び前記範囲特定情報に基づく信号である。
【００１６】
本発明に係る表示装置は、前記出力部は、前記信号を放射する光で出力する。
【００１７】
本発明に係る情報処理システムは、コンテンツを表示する表示面を備える表示装置及び該コンテンツを撮像する撮像部を備える情報利用装置を備える情報処理システムであって、前記表示装置は、前記表示面を分割した複数の範囲の内、一の範囲を特定する範囲特定情報及び前記表示面のコンテンツを特定するコンテンツ特定情報に基づいた信号であって前記コンテンツを撮像する情報利用装置で検知可能な信号を前記一の範囲に出力する出力部を備え、前記情報利用装置は、前記信号を取得する取得部と、該取得部で取得した信号から前記コンテンツ特定情報及び範囲特定情報を抽出する抽出部とを備える。
【００１８】
本発明に係る情報処理方法は、表示面を分割した複数の範囲の内、一の範囲を特定する範囲特定情報及び前記表示面のコンテンツを特定するコンテンツ特定情報に基づいた信号であって前記コンテンツを撮像する情報利用装置で検知可能な信号を前記一の範囲に出力し、前記信号を取得し、取得した信号から前記コンテンツ特定情報及び範囲特定情報を抽出する。
【００１９】
本発明に係る情報利用装置は、信号を取得する取得部と、該取得部で取得した信号から前記表示面を分割した複数の範囲の内、一の範囲を特定する範囲特定情報及び前記表示面のコンテンツを特定するコンテンツ特定情報を抽出する抽出部と、該抽出部で抽出したコンテンツ特定情報及び範囲特定情報を情報処理装置へ出力する出力部と、前記コンテンツ特定情報及び範囲特定情報に基づいて特定され、前記表示面に表示されたオブジェクトに関連する関連情報を前記情報処理装置から取得する関連情報取得部とを備える。
【００２０】
本発明に係る関連情報出力方法は、表示装置の表示面を分割した複数の範囲の内、一の範囲を特定する範囲特定情報及び前記表示面のコンテンツを特定するコンテンツ特定情報を情報利用装置から取得し、取得したコンテンツ特定情報及び範囲特定情報に基づいて特定され、前記表示面に表示されたオブジェクトに関連する関連情報を前記情報利用装置へ出力する。
【発明の効果】
【００２１】
本発明によれば、表示装置において、容易に視聴者が注目するオブジェクトを特定するための情報を提供することができる。
また、同一映像を複数の視聴者が観ている場合であっても、それぞれが興味を持った
オブジェクトを特定するための情報を提供することが出来るため、大形の表示装置を複数の視聴者で同時利用する場合に効果が大きくなる。
【図面の簡単な説明】
【００２２】
【図１】本実施形態に係る情報処理システムを説明する説明図である。
【図２】表示装置、携帯端末装置及びサーバのハードウェア群を示すブロック図である。
【図３】映像特定情報ＤＢに格納されているデータの一例を示す図である。
【図４】範囲特定情報ＤＢに格納されているデータの一例を示す図である。
【図５】サービスＤＢに格納されているデータの一例を示す図である。
【図６】撮像可能情報を重畳した映像を表示した表示部を示す説明図である。
【図７】本実施形態における情報処理システムの処理手順を示したフローチャートである。
【図８】本実施形態における情報処理システムの処理手順を示したフローチャートである。
【図９】情報処理システムの処理手順を示したフローチャートである。
【図１０】本実施形態に係る情報処理システムを説明する説明図である。
【図１１】電飾看板のハードウェア群を示すブロック図である。
【図１２】サービスＤＢに格納されているデータの一例を示す図である。
【図１３】撮像可能情報を重畳した画像を表示した電飾看板を示す説明図である。
【図１４】本実施形態における情報処理システムの処理手順を示したフローチャートである。
【図１５】本実施形態における情報処理システムの処理手順を示したフローチャートである。
【発明を実施するための形態】
【００２３】
実施の形態１
以下本実施の形態を、図面を参照して説明する。図１は本実施形態に係る情報処理システムを説明する説明図である。図１に示す情報処理システムは、表示装置１と、携帯端末装置２１、２２…（以下、場合により携帯端末装置２で代表する）と、サーバ（情報処理装置）３とを備える。携帯端末装置２及びサーバ３はインターネット、ＬＡＮ(Local Area Network)または携帯電話網等の通信網Ｎにより相互に接続されている。携帯端末装置２は通信網Ｎを介してサーバ３との間で情報の送受信を行っている。すなわち、携帯端末装置２とは撮像可能情報（信号）を利用する情報利用装置である。
【００２４】
以下では情報処理システムの概要を説明する。表示装置１は映像を表示する装置であり、例えば液晶表示装置、プラズマディスプレイ、ＬＥＤ（Light Emitting Diode）ディスプレイ又は有機ＥＬ（Electroluminescence）ディスプレイ等である。本実施形態における表示装置１は液晶表示装置であるとして説明する。映像（以下、場合によりコンテンツとする）とは例えば、番組、動画又は画像等である。本実施形態における映像は番組であるものとして説明する。表示装置１は映像を受信する。表示装置１は映像を識別するための映像ＩＤ及び経過時間の範囲等の映像特定情報（以下、場合によりコンテンツ特定情報とする）並びにコンテンツを表示する表示面を分割した複数の範囲の内、一の範囲を特定する範囲特定情報等の各種情報を撮像可能情報に変換する。経過時間とは例えば、番組が放送を開始した開始時間から特定のシーンまでに経過した時間である。シーンとは番組内の特定の時間の範囲に表示された画像である。撮像可能情報とは携帯端末装置２で撮像可能な情報である。表示装置１は受信した映像に撮像可能情報を重畳する。表示装置１は撮像可能情報を重畳した映像を表示する。
この信号は、人間の目には関知出来ないが、下記の携帯端末装置では撮影が可能な信号であるので、説明を簡便とするために、図面においては破線の☆と記載している。
【００２５】
携帯端末装置２は映像の画像を撮像するための装置であり、例えばスマートフォン、携帯電話、ＰＤＡ（Personal Digital Assistant）又はウェアラブル端末等である。携帯端末装置２は表示装置１が表示した映像の画像を撮像する。携帯端末装置２は撮像した画像に画像処理を行うことで撮像可能情報を取得する。携帯端末装置２は取得した撮像可能情報から映像特定情報及び範囲特定情報を抽出する。携帯端末装置２は抽出した映像特定情報及び範囲特定情報をサーバ３へ出力する。
【００２６】
サーバ３は携帯端末装置２へ出力する情報を管理するコンピュータであり、例えばサーバコンピュータ又はプラットフォーム等である。サーバ３は携帯端末装置２から映像特定情報及び範囲特定情報を取得する。サーバ３は取得した映像特定情報及び範囲特定情報に基づいて表示装置の表示面に表示されたオブジェクトに関連する関連情報を特定する。本実施形態における関連情報とは例えば、オブジェクトに関連するサービス画面である。サーバ３は特定したサービス画面を携帯端末装置２へ出力する。携帯端末装置２はサービス画面を取得する。携帯端末装置２はサービス画面を表示する。
【００２７】
以下、本実施形態に係る情報処理システムの詳細を説明する。図２は表示装置１、携帯端末装置２及びサーバ３のハードウェア群を示すブロック図である。図２に示す表示装置１はＣＰＵ(Central Processing Unit)１１、記憶部１２、ＲＡＭ１３、受信部１４、表示部１５、チューナ１６及び計時部１７を備える。
【００２８】
ＣＰＵ１１は、バスを介してハードウェア各部と接続されている。ＣＰＵ１１は例えば一もしくは複数のＣＰＵ又はマルチコアＣＰＵ等を備える。ＣＰＵ１１は、記憶部１２に記憶されたプログラム１２Ｐに従いハードウェアの各部を制御する。
【００２９】
記憶部１２は例えばハードディスクまたは大容量メモリ等である。記憶部１２にはＣＰＵ１１が処理を行う際に必要とする種々のデータ、映像特定情報ＤＢ１２１、範囲特定情報ＤＢ１２２及びプログラム１２Ｐを格納する。
【００３０】
ＲＡＭ１３は例えばＳＲＡＭ（Static Random Access Memory）、ＤＲＡＭ（Dynamic Random Access Memory）、フラッシュメモリ等である。ＲＡＭ１３は、記憶部としても機能し、ＣＰＵ１１による各種プログラムの実行時に発生する種々のデータを一時的に記憶する。
【００３１】
受信部１４は送信機（図示せず）からの信号を受信し、ＣＰＵ１１は受信した信号に応じた処理を実行する。表示部１５はＣＰＵ１１から送信された画像データを表示する。表示部１５は例えば液晶画面である。液晶画面は背面にバックライトを備える。バックライトには例えば赤、青及び緑のＬＥＤが搭載されており、表示部１５はバックライトにより液晶部を照らすことで映像を表示している。また、表示部１５はバックライトに撮像可能情報を重畳するための赤外線ＬＥＤを搭載している。
【００３２】
チューナ１６は図示しないアンテナに接続され、アンテナを通じて、テレビジョン放送による放送信号を受信する。ＣＰＵ１１は受信した放送信号をチューナ１６から取得し、取得した放送信号を番組に変換し、変換した番組を表示部１５に表示する。計時部１７は、例えば現在の時点における時刻を計時し、ＣＰＵ１１の要求に従って、計時結果をＣＰＵ１１に出力する。
【００３３】
図２に示す携帯端末装置２はＣＰＵ２１、記憶部２２、ＲＡＭ２３、入力部２４、表示部２５、通信部２６及び撮像部２７を備える。ＣＰＵ２１、記憶部２２、ＲＡＭ２３及び表示部２５の構成は、表示装置１のＣＰＵ１１、記憶部１２、ＲＡＭ１３及び表示部１５の構成と同様であるため、簡潔のため記載を省略する。
【００３４】
入力部２４はタッチパネル等の入力デバイスであり、受け付けた操作情報をＣＰＵ２１へ出力する。通信部２６は、例えば無線ＬＡＮカード又は携帯電話用通信モジュール等であり、通信網Ｎを介して各種情報をサーバ３との間で送受信する。撮像部２７は赤外線カメラ２７１及び可視光カメラ２７２を備える。赤外線カメラ２７１は赤外領域の光を撮像するカメラである。可視光カメラ２７２は可視光領域の光を撮像するカメラである。可視赤外線カメラ２７１及び光カメラ２７２は例えばＣＣＤ(Charge Coupled Device)カメラ又はＣＭＯＳ（Complementary Metal Oxide Semiconductor）カメラ等であり、ＣＣＤ又はＣＭＯＳ等を介して入力された光信号を光電変換することにより画像データを取得する。
【００３５】
図２に示すサーバ３はＣＰＵ３１、記憶部３２、ＲＡＭ３３、入力部３４、表示部３５及び通信部３６を備える。ＣＰＵ３１、ＲＡＭ３３及び表示部３５の構成は、表示装置１のＣＰＵ１１、ＲＡＭ１３及び表示部１５の構成と同様であるため、簡潔のため記載を省略する。
【００３６】
記憶部３２は例えばハードディスクまたは大容量メモリ等である。記憶部３２にはＣＰＵ３１が処理を行う際に必要とする種々のデータ、サービスＤＢ３２１及びプログラム３２Ｐを格納する。
【００３７】
入力部３４はマウス又はキーボード等の入力デバイスであり、受け付けた操作情報をＣＰＵ３１へ送信する。通信部３６は、例えば無線ＬＡＮカード又は携帯電話用通信モジュール等であり、通信網Ｎを介して各種情報を携帯端末装置２との間で送受信する。
【００３８】
図３は映像特定情報ＤＢ１２１に格納されているデータの一例を示す図である。映像特定情報ＤＢ１２１は映像特定情報等を記憶するデータベースである。映像特定情報ＤＢ１２１は番組名列、映像ＩＤ列、経過時間列及びシーン名列を備える。番組名列には番組の名称が記憶される。映像ＩＤ列には映像を特定するための映像ＩＤが記憶される。経過時間列には特定のシーンを表示した経過時間の範囲が記憶される。シーン名列にはシーンの名称が記憶される。ＣＰＵ１１は予め放送局から発信される電波に含まれる番組表を受信している。番組表には番組名、映像ＩＤ、経過時間の範囲及びシーン名等の映像特定情報が含まれている。ＣＰＵ１１は放送局から番組表を受信した場合、番組名、映像ＩＤ、経過時間の範囲及びシーン名を映像特定情報ＤＢ１２１に記憶する。なお、各列の情報は互いに対応づけられている。また、映像が動画であった場合、予め動画データに含まれている番組名、映像ＩＤ、経過時間の範囲及びシーン名を映像特定情報ＤＢ１２１に記憶してもよい。
【００３９】
図４は範囲特定情報ＤＢ１２２に格納されているデータの一例を示す図である。範囲特定情報ＤＢ１２２は範囲特定情報等を記憶するデータベースである。範囲特定情報ＤＢ１２２は範囲位置列及び範囲ＩＤ列を備える。範囲位置列には映像を表示した表示面を例えば６行９列の格子状に分割した各範囲の表示面上の位置が記憶される。範囲ＩＤ列には各範囲に対応づけられ、一の範囲を特定するための範囲ＩＤ（範囲特定情報）が記憶される。範囲特定情報ＤＢ１２２は予め記憶されている。なお、各列の情報は互いに対応づけられている。
【００４０】
図５はサービスＤＢ３２１に格納されているデータの一例を示す図である。サービスＤＢ３２１は関連情報等を記憶するデータベースである。サービスＤＢ３２１は映像ＩＤ列、経過時間列、範囲ＩＤ列及びサービス画面列を備える。映像ＩＤ列には映像ＩＤが記憶される。経過時間列には経過時間の範囲が記憶される。範囲ＩＤ列には範囲ＩＤが記憶される。サービス画面列にはオブジェクトに関するサービスを表示するためのサービス画面が記憶される。サービスＤＢ３２１は予め記憶されている。なお、各列の情報は互いに対応づけられている。
【００４１】
図６は撮像可能情報を重畳した映像を表示した表示部１５を示す説明図である。図６に示すように、表示部１５は表示面を５行６列の格子状に区切った範囲５１１、５１２、５１３及び５１４…（以下、場合により範囲５１で代表する）と、範囲５１３及び５１４内に表示された撮像可能情報５２３及び５２４と、表示面上に表示された車両６とを備える。
【００４２】
以下、表示装置１の動作について説明する。表示装置１のＣＰＵ１１は例えば、番組Ａの映像をチューナ１６で受信する。ＣＰＵ１１は計時部１７で計時した時間に基づいて現在の経過時間「１：００：０１」を特定する。ＣＰＵ１１は映像特定情報ＤＢ１２１を参照する。経過時間「１：００：０１」は「１：００：００〜１：０４：５９」の範囲にあるため、ＣＰＵ１１は映像ＩＤ「００１」及び経過時間の範囲「１：００：００〜１：０４：５９」を特定する。
【００４３】
ＣＰＵ１１は範囲特定情報ＤＢ１２２を参照し、表示面を複数の範囲５１に分割する。ＣＰＵ１１は分割した各範囲の表示面上の位置に対応づけられた範囲ＩＤを生成する。例えば、ＣＰＵ１１は範囲５１３及び５１４の４行２列及び２行５列に対応する範囲ＩＤ「０００３」及び「０００４」を生成する。ＣＰＵ１１は映像ＩＤ「００１」、経過時間の範囲「１：００：００〜１：０４：５９」並びに範囲ＩＤ「０００３」及び「０００４」を撮像可能情報に変換する。ＣＰＵ１１は範囲５１３及び５１４の映像に撮像可能情報を重畳する。ＣＰＵ１１は撮像可能情報を重畳した映像を表示部１５に表示する。
【００４４】
具体的な撮像可能情報への変換及び撮像可能情報を重畳した映像の表示方法は以下の通りである。ＣＰＵ１１は映像ＩＤ「００１」、経過時間の範囲「１：００：００〜１：０４：５９」並びに範囲ＩＤ「０００３」及び「０００４」を撮像可能情報５２３及び５２４に変換する。ＣＰＵ１１は映像を表示部１５のバックライトに搭載された赤、青及び緑の通常のＬＥＤにより表示する。さらにＣＰＵ１１は表示部１５のバックライトに搭載された非可視光である赤外線ＬＥＤにより変換した撮像可能情報５２３及び５２４を範囲５１３及び５１４に表示する。
【００４５】
また、撮像可能情報への変換及び撮像可能情報を重畳した映像の表示方法は次のような方法であってもよい。ＣＰＵ１１は透明度を変更した画像を範囲５１３及び５１４の映像に重畳する。ＣＰＵ１１は画像を重畳した映像を表示部１５に表示する。
【００４６】
さらに、撮像可能情報への変換及び撮像可能情報を重畳した映像の表示方法は次のような方法であってもよい。ＣＰＵ１１は映像ＩＤ「００１」、経過時間の範囲「１：００：００〜１：０４：５９」並びに範囲ＩＤ「０００３」及び「０００４」を信号（撮像可能情報）に変換する。ＣＰＵ１１は範囲５１３及び５１４のバックライトを人の目が認識することが難しい周波数で駆動させることで信号を映像に重畳して表示部１５から出力する。なお、撮像可能情報への変換及び撮像可能情報を重畳した映像の表示方法はこれに限られず、他の手法を用いてもよい。
【００４７】
以下、携帯端末装置２及びサーバ３の動作について説明する。例えば、携帯端末装置２１のユーザ（視聴者）が映像に表示された車両６のタイヤの価格に興味があったとする。ユーザ（視聴者）が撮像部２７により表示部１５に表示された範囲５１３の画像を撮像する。撮像部２７の可視光カメラ２７２はタイヤの画像を撮像し、赤外線カメラ２７１は赤外線ＬＥＤにより表示した撮像可能情報５２３を撮像する。ＣＰＵ２１は撮像部２７で撮像したタイヤの画像及び撮像可能情報５２３の画像を取得する。なお、赤外線ＬＥＤから発光した光は範囲５１３以外の他の範囲と混線する場合があるため、ＣＰＵ２１は取得した撮像可能情報５２３の画像を画像処理により解析することで範囲５１３の撮像可能情報５２３の画像を抽出する。
【００４８】
ＣＰＵ２１は抽出した撮像可能情報５２３の画像を変換することで、映像ＩＤ「００１」、経過時間の範囲「１：００：００〜１：０４：５９」及び範囲ＩＤ「０００３」を抽出する。ＣＰＵ２１は映像ＩＤ「００１」、経過時間の範囲「１：００：００〜１：０４：５９」及び範囲ＩＤ「０００３」を通信部２６からサーバ３へ出力する。
【００４９】
なお、透明度を変更した画像を範囲５１３の映像上に重畳する表示方法及び駆動させた信号とともに映像を表示部１５で表示する表示方法の場合、ＣＰＵ２１が可視光カメラ２７２で撮像した画像を画像解析することにより範囲ＩＤ及び映像特定情報を抽出する。
【００５０】
ＣＰＵ３１は映像ＩＤ「００１」、経過時間の範囲「１：００：００〜１：０４：５９」及び範囲ＩＤ「０００３」を通信部３６で携帯端末装置２から取得する。ＣＰＵ３１は取得した映像ＩＤ「００１」、経過時間の範囲「１：００：００〜１：０４：５９」及び範囲ＩＤ「０００３」に基づいてタイヤの売買価格を表示したサービス画面Ａを特定する。ＣＰＵ３１はタイヤの売買価格を表示したサービス画面Ａを通信部３６で携帯端末装置２へ出力する。ＣＰＵ２１はタイヤの売買価格を表示したサービス画面Ａを通信部２６でサーバ３から取得する。ＣＰＵ２１はタイヤの売買価格を表示したサービス画面Ａを表示部２５に表示する。
【００５１】
例えば、携帯端末装置２２のユーザが映像に表示された車両６のトランクの容量に興味があったとする。ユーザが撮像部２７により表示部１５に表示された範囲５１４の画像を撮像する。撮像部２７の可視光カメラ２７２はトランクの画像を撮像し、赤外線カメラ２７１は赤外線ＬＥＤにより表示した撮像可能情報５２４を撮像する。ＣＰＵ２１は撮像部２７で撮像したトランクの画像及び撮像可能情報５２４の画像を取得する。ＣＰＵ２１は取得した撮像可能情報５２４の画像を画像処理により解析することで範囲５１４の撮像可能情報５２４の画像を抽出する。
【００５２】
ＣＰＵ２１は抽出した撮像可能情報５２４の画像を変換することで、映像ＩＤ「００１」、経過時間の範囲「１：００：００〜１：０４：５９」及び範囲ＩＤ「０００４」を抽出する。ＣＰＵ２１は映像ＩＤ「００１」、経過時間の範囲「１：００：００〜１：０４：５９」及び範囲ＩＤ「０００４」を通信部２６からサーバ３へ出力する。
【００５３】
ＣＰＵ３１は映像ＩＤ「００１」、経過時間の範囲「１：００：００〜１：０４：５９」及び範囲ＩＤ「０００４」を通信部３６で携帯端末装置２から取得する。ＣＰＵ３１はサービスＤＢ３２１を参照する。ＣＰＵ３１は取得した映像ＩＤ「００１」、経過時間の範囲「１：００：００〜１：０４：５９」及び範囲ＩＤ「０００４」に基づいてトランクの容量を表示したサービス画面Ｂを特定する。ＣＰＵ３１はトランクの容量を表示したサービス画面Ｂを通信部３６で携帯端末装置２へ出力する。ＣＰＵ２１はトランクの容量を表示したサービス画面Ｂを通信部２６でサーバ３から取得する。ＣＰＵ２１はトランクの容量を表示したサービス画面Ｂを表示部１５に表示する。
【００５４】
図７〜８は本実施形態における情報処理システムの処理手順を示したフローチャートである。表示装置１のＣＰＵ１１は映像をチューナ１６で受信する（ステップＳ１１）。ＣＰＵ１１は計時部１７で計時した時間に基づいて現在の経過時間を特定する（ステップＳ１２）。ＣＰＵ１１は映像特定情報ＤＢ１２１を参照し、映像ＩＤ及び経過時間に基づいて映像特定情報を特定する（ステップＳ１３）。ＣＰＵ１１は範囲特定情報ＤＢ１２２を参照する。ＣＰＵ１１は表示面を複数の範囲５１に分割し、範囲ＩＤを生成する（ステップＳ１４）。ＣＰＵ１１は映像特定情報及び範囲ＩＤを撮像可能情報に変換する（ステップＳ１５）。ＣＰＵ１１は受信した映像に撮像可能情報を重畳する（ステップＳ１６）。ＣＰＵ１１は撮像可能情報を重畳した映像を表示部１５に表示する（ステップＳ１７）。
【００５５】
ユーザ（視聴者）が撮像部２７により表示部１５に表示された範囲５１の画像を撮像する。携帯端末装置２のＣＰＵ２１は撮像部２７で撮像した映像の画像を解析することで撮像可能情報を取得する（ステップＳ１８）。ＣＰＵ２１は取得した撮像可能情報から映像特定情報及び範囲ＩＤを抽出する（ステップＳ１９）。ＣＰＵ２１は映像特定情報及び範囲ＩＤを通信部２６からサーバ３へ出力する（ステップＳ２０）。
【００５６】
ＣＰＵ３１は映像特定情報及び範囲ＩＤを通信部３６で携帯端末装置２から取得する（ステップＳ２１）。ＣＰＵ３１はサービスＤＢ３２１を参照し、取得した映像特定情報及び範囲ＩＤに基づいてサービス画面を特定する（ステップＳ２２）。ＣＰＵ３１は特定したサービス画面を通信部３６で携帯端末装置２へ出力する（ステップＳ２３）。ＣＰＵ２１はサービス画面を通信部２６でサーバ３から取得する（ステップＳ２４）。ＣＰＵ２１は取得したサービス画面を表示部１５に表示（ステップＳ２５）し、処理を終了する。すなわちＣＰＵ２１は取得したサービス画面を表示部１５に出力し、処理を終了する。
【００５７】
なお、本実施形態では携帯端末装置２で画像を解析したが、サーバ３で画像を解析してもよい。その場合、ＣＰＵ２１は画像を通信部２６からサーバ３へ出力する。またＣＰＵ３１は画像を通信部３６で携帯端末装置２から取得する。
【００５８】
なお、本実施形態では表示面を５行６列の範囲５１に区切ったが、これに限られるものではない。表示装置１の受信機又は携帯端末装置２により自由に表示面の分割数を変更できる。携帯端末装置２が画像を解析する際に表示装置１と携帯端末装置２との間の距離及び携帯端末装置２の向きを算出し、範囲特定情報は画面の分割数並びに算出した距離及び向きを含んでもよい。サーバ３は分割数、距離及び向きに基づいて表示面上における位置を特定することで特定した位置に対応するサービス画面を特定する。
【００５９】
本実施形態によれば、容易に視聴者が注目するコンテンツ中のオブジェクトを特定することができる。
【００６０】
また本実施形態によれば、１画面を同時に複数の視聴者が視聴する場合でも利用可能であるため、従来のシステムより利用頻度を向上させることができる。
【００６１】
本実施形態によれば、重畳された映像を撮像部２７で撮像することで視聴者が注目する位置を特定する。このため、視聴者が携帯端末装置２以外の装置を持つ必要がないため、さらに利便性が向上する。
【００６２】
なお、本実施形態では情報利用装置として携帯端末装置２を用いたが、これに限られるものではない。情報利用装置とは例えばカメラ等の撮像可能情報を利用できるものであればよい。
【００６３】
また本実施形態における表示装置１を視聴する視聴者と携帯端末装置２を操作するユーザは同一であるが、別であってもよい。
【００６４】
実施の形態２
実施の形態２は表示装置１で映像特定情報及び範囲ＩＤを暗号化し、携帯端末装置２で映像特定情報及び範囲ＩＤを復号化する実施形態である。以下本発明の実施の形態２をその実施の形態を示す図面に基づいて詳述する。以下、特に説明する構成、作用以外の構成及び作用は実施の形態１と同等であり、簡潔のため記載を省略する。
【００６５】
ＣＰＵ１１は映像ＩＤ「００１」、経過時間の範囲「１：００：００〜１：０４：５９」及び範囲ＩＤ「０００３」を公開鍵で暗号化する。ＣＰＵ１１は暗号化した映像ＩＤ「００１」、経過時間の範囲「１：００：００〜１：０４：５９」及び範囲ＩＤ「０００３」を映像に重畳する。ＣＰＵ１１は暗号化した映像ＩＤ「００１」、経過時間の範囲「１：００：００〜１：０４：５９」及び範囲ＩＤ「０００３」を重畳した映像を表示部１５に表示する。
【００６６】
視聴者が撮像部２７により表示部１５に表示された範囲５１３の画像を撮像する。ＣＰＵ２１は取得した画像を解析することで暗号化した映像ＩＤ「００１」、経過時間の範囲「１：００：００〜１：０４：５９」及び範囲ＩＤ「０００３」を抽出する。ＣＰＵ２１は暗号化した映像ＩＤ「００１」、経過時間の範囲「１：００：００〜１：０４：５９」及び範囲ＩＤ「０００３」を秘密鍵で復号する。以下、実施の形態１と同様であり、簡潔のため記載を省略する。なお、本実施形態では秘密鍵方式で暗号化を行ったが、共通鍵方式で映像特定情報及び範囲ＩＤを暗号化してもよい。また表示装置１及び携帯端末装置２で認識することが可能な暗号タグを用いて暗号化を行ってもよい。
【００６７】
図９は情報処理システムの処理手順を示したフローチャートである。ステップＳ１９以外の処理は上述の実施の形態１に係る情報処理システムと同様であるので、簡潔のため説明を省略する。ＣＰＵ１１はステップＳ１４を終了した後、映像特定情報及び範囲ＩＤを公開鍵で暗号化し（ステップＳ３１）、ステップＳ１５に移る。
【００６８】
ＣＰＵ２１はステップＳ１８を終了した後、取得した画像を解析することで暗号化した映像特定情報及び範囲ＩＤを抽出する（ステップＳ３２）。ＣＰＵ２１は暗号化した映像特定情報及び範囲ＩＤを秘密鍵で復号し（ステップＳ３３）、処理をステップＳ２０に移す。
【００６９】
本実施形態によれば、映像特定情報及び範囲ＩＤが暗号化されているため、映像特定情報及び範囲ＩＤが携帯端末装置２以外に流出するおそれを防止できるため、従来よりセキリティが向上する。
【００７０】
実施の形態３
実施の形態３はフィルムを背面から放射する光で表示する電飾看板４で画像（以下、場合によりコンテンツとする）を表示する実施の形態に関する。以下本発明の実施の形態３をその実施の形態を示す図面に基づいて詳述する。以下、特に説明する構成、作用以外の構成及び作用は実施の形態１と同等であり、簡潔のため記載を省略する。
【００７１】
図１０は本実施形態に係る情報処理システムを説明する説明図である。本実施形態における情報処理システムは電飾看板（表示装置）４を備える。
【００７２】
図１１は電飾看板４のハードウェア群を示すブロック図である。図１１に示す電飾看板４はＣＰＵ４１、記憶部４２、ＲＡＭ４３、読み取り部４４、表示部４５及び入出力部４６を備える。ＣＰＵ４１及びＲＡＭ４３の作用及び動作は、表示装置１のＣＰＵ１１及びＲＡＭ１３の作用及び動作と同様であるため、簡潔のため記載を省略する。
【００７３】
記憶部４２は例えばフラッシュメモリ等の不揮発性記憶部である。記憶部４２にはＣＰＵ４１が処理を行う際に必要とする種々のデータ、範囲特定情報ＤＢ４２２及びプログラム４２Ｐを格納する。範囲特定情報ＤＢ４２２は範囲特定情報ＤＢ１２２と略同様の構成であるため、簡潔のため記載を省略する。
【００７４】
表示部４５は白色のＬＥＤを搭載するバックライトによりバックライトの正面に挿入されたフィルムを照らすことでフィルムに印刷された画像を表示する。表示部４５はさらに撮像可能情報出力手段として赤外線ＬＥＤを搭載する。赤外線ＬＥＤから放射される赤外線は長波長であるため、フィルムを貫通して赤外線により生成された撮像可能情報を出力することができる。
【００７５】
読み取り部４４は例えばバーコードリーダ又はスキャナ等であり、フィルムに印刷された広告を識別するための広告ＩＤ及び広告を設置した場所を特定するための設置場所ＩＤ等を含むコードを読み取る装置である。本実施形態における読み取り部４４はバーコードリーダであるとする。読み取り部４４はバックライトの正面に挿入されたフィルムの裏面に印刷された１次元又は２次元バーコードを読み取る。本実施形態におけるバーコードは１次元バーコードとする。また読み取り部４４が読み取るコードはバーコードに限られず、数字、記号又は画像等であってもよい。
【００７６】
入出力部４６は外部の情報処理装置と接続されており、外部の情報処理装置との間で情報の取得又は出力を行っている。
【００７７】
図１２はサービスＤＢ３２１に格納されているデータの一例を示す図である。本実施形態におけるサービスＤＢ３２１は広告ＩＤ列、範囲ＩＤ列及びサービス画面列を備える。広告ＩＤ列には広告ＩＤ（以下、場合によりコンテンツ特定情報とする）が記憶される。範囲ＩＤ列には範囲ＩＤが記憶される。サービス画面列にはサービス画面が記憶される。サービスＤＢ３２１は予め記憶されている。なお、各列の情報は互いに対応づけられている。
【００７８】
図１３は撮像可能情報を重畳した画像を表示した電飾看板４を示す説明図である。図１３に示すように、表示部４５は表示面を格子状に区切った範囲４１１、４１２、４１３、４１４…（以下、場合により範囲４１０で代表する）と、フィルムに印刷された車両６の広告と、フィルムの裏面に印刷された１次元バーコード４２１と、撮像可能情報４２４発生部とを備える。１次元バーコード４２１には例えば、広告ＩＤ及び設置場所ＩＤ等が含まれる。
【００７９】
以下、電飾看板４の動作について説明する。ＣＰＵ１１は表示部４５で車両６の広告が印刷されたフィルムを照らして広告を表示する。ＣＰＵ１１は読み取り部４４で１次元バーコード４２１を読み取り、広告ＩＤ「０１」及び設置場所ＩＤ「００００１」を取得する。なお、本実施形態では１次元バーコード４２１から広告ＩＤ及び設置場所ＩＤを取得したが、入出力部４６で外部の情報処理装置から広告ＩＤ及び設置場所ＩＤを取得してもよい。
【００８０】
ＣＰＵ１１はフィルムの表示面を複数の範囲５１に分割する。ＣＰＵ１１は分割した各範囲の表示面上の位置に対応づけられた範囲ＩＤを生成する。ＣＰＵ４１は範囲４１４において、広告ＩＤ「０１」、設置場所ＩＤ「００００１」及び範囲ＩＤ「０００４」を撮像可能情報４２４に変換する。ＣＰＵ４１は変換した撮像可能情報４２４を赤外線ＬＥＤにより出力する。
【００８１】
以下、携帯端末装置２及びサーバ３の動作について説明する。例えば、携帯端末装置２２のユーザがフィルムに印刷された車両６のトランクの容量に興味があった場合を想定する。ユーザ視聴者が撮像部２７により表示部４５に表示された範囲４１４を撮像する。撮像部２７の可視光カメラ２７２はタイヤの画像を撮像し、赤外線カメラ２７１は赤外線ＬＥＤにより表示した撮像可能情報４２４を撮像する。ＣＰＵ２１は撮像部２７で撮像したタイヤの画像及び撮像可能情報４２４の画像を取得する。ＣＰＵ２１は取得した撮像可能情報４２４の画像を画像処理により解析することで範囲５１３の撮像可能情報４２４の画像を抽出する。
【００８２】
ＣＰＵ２１は抽出した撮像可能情報４２４の画像を変換することで、広告ＩＤ「０１」、設置場所ＩＤ「００００１」及び範囲ＩＤ「０００４」を抽出する。ＣＰＵ２１は広告ＩＤ「０１」、設置場所ＩＤ「００００１」及び範囲ＩＤ「０００４」を通信部２６からサーバ３へ出力する。
【００８３】
ＣＰＵ３１は広告ＩＤ「０１」、設置場所ＩＤ「００００１」及び範囲ＩＤ「０００４」を通信部３６で携帯端末装置２から取得する。ＣＰＵ３１は広告ＩＤ「０１」、設置場所ＩＤ「００００１」及び範囲ＩＤ「０００４」を記憶部３２に記憶する。ＣＰＵ３１はサービスＤＢ３２１を参照し、取得した広告ＩＤ「０１」及び範囲ＩＤ「０００４」に基づいてタイヤの売買価格を表示したサービス画面Ａを特定する。ＣＰＵ３１はタイヤの売買価格を表示したサービス画面Ａを通信部３６で携帯端末装置２へ出力する。ＣＰＵ２１はタイヤの売買価格を表示したサービス画面Ａを通信部２６でサーバ３から取得する。ＣＰＵ２１はタイヤの売買価格を表示したサービス画面Ａを表示部１５に表示する。
【００８４】
図１４〜１５は本実施形態における情報処理システムの処理手順を示したフローチャートである。電飾看板４のＣＰＵ４１は表示部４５で広告が印刷されたフィルムを照らして広告を表示する（ステップＳ４１）。ＣＰＵ４１は読み取り部４４で１次元バーコード４２１を読み取り、広告ＩＤ及び設置場所ＩＤを取得する（ステップＳ４２）。
【００８５】
ＣＰＵ１１はフィルムの表示面を複数の範囲５１に分割する（ステップＳ４３）。ＣＰＵ４１は範囲特定情報ＤＢ４２２を参照し、広告ＩＤ、設置場所ＩＤ及び範囲ＩＤを撮像可能情報に変換する（ステップＳ４４）。ＣＰＵ４１は変換した撮像可能情報を赤外線ＬＥＤにより表示部４５に表示する（ステップＳ４５）。
【００８６】
ユーザが撮像部２７により表示部４５に表示された範囲４１０の画像を撮像する。携帯端末装置２のＣＰＵ２１は撮像部２７で撮像した画像から撮像可能情報を取得する（ステップＳ４６）。ＣＰＵ２１は取得した撮像可能情報をから広告ＩＤ、設置場所ＩＤ及び範囲ＩＤを抽出する（ステップＳ４７）。ＣＰＵ２１は広告ＩＤ、設置場所ＩＤ及び範囲ＩＤを通信部２６からサーバ３へ出力する（ステップＳ４８）。
【００８７】
ＣＰＵ３１は広告ＩＤ、設置場所ＩＤ及び範囲ＩＤを通信部３６で携帯端末装置２から取得する（ステップＳ４９）。ＣＰＵ３１は広告ＩＤ、設置場所ＩＤ及び範囲ＩＤを記憶部３２に記憶する（ステップＳ５０）。ＣＰＵ３１はサービスＤＢ３２１を参照し、取得した広告ＩＤ及び範囲ＩＤに基づいてサービス画面を特定する（ステップＳ５１）。ＣＰＵ３１は特定したサービス画面を通信部３６で携帯端末装置２へ出力する（ステップＳ５２）。ＣＰＵ２１はサービス画面を通信部２６でサーバ３から取得する（ステップＳ５３）。ＣＰＵ２１は取得したサービス画面を表示部２５に表示（ステップＳ５４）し、処理を終了する。
【００８８】
本実施形態によれば、設置場所ＩＤを記憶することでユーザが画像を撮像した場所が解る。このことでより精度が高い情報サービスを提供することが可能になる。また設置場所ＩＤ等の情報をＴＶ局又は広告業界へ提供することで、看板設置場所毎の広告利用状況が把握可能となるために、情報流通業界全体の品質が向上する。
【００８９】
本発明に係る表示装置１は、表示面を分割した複数の範囲の内、一の範囲を特定する範囲特定情報及び前記表示面のコンテンツを特定するコンテンツ特定情報に基づいた信号であって前記コンテンツを撮像する情報利用装置で検知可能な信号を前記一の範囲に出力する出力部を備える。
【００９０】
本実施形態によれば、容易にユーザが注目するオブジェクトを特定することができる。
【００９１】
本発明に係る表示装置１は、前記信号を前記コンテンツに重畳する重畳部を備える。
【００９２】
本実施形態によれば、重畳された映像を撮像部２７で撮像することでユーザが注目する位置を特定する。このため、ユーザが携帯端末装置２以外の装置を持つ必要がないため、さらに利便性が向上する。
【００９３】
本発明に係る表示装置１は、前記範囲特定情報及びコンテンツ特定情報を暗号化する暗号部を備え、該暗号部で暗号化した範囲特定情報及びコンテンツ特定情報を前記信号に変換する。
【００９４】
本実施形態によれば、映像特定情報及び範囲ＩＤが暗号化されているため、映像特定情報及び範囲ＩＤが情報利用装置以外に流出するおそれを防止できるため、従来よりセキリティが向上する。
【００９５】
本発明に係る表示装置１は、前記信号は、自身が設置された場所を特定するための設置場所特定情報、前記コンテンツ特定情報及び前記範囲特定情報に基づく信号である。
【００９６】
本実施形態によれば、設置場所ＩＤを記憶することでユーザが画像を撮像した場所が解る。このことでより精度が高い情報サービスを提供することが可能になる。また設置場所ＩＤ等の情報をＴＶ局又は広告業界へ提供することで看板設置場所毎の広告利用状況が把握可能となるために、情報流通業界全体の品質が向上する。
【００９７】
本発明に係る表示装置１は、前記出力部は、前記信号を放射する光で出力する。
【００９８】
本実施形態によれば、電飾看板４を設置する飲食業等の業界で本実施形態における情報処理システムの使用が可能になるため、電飾看板４の価値が高まる。
【００９９】
本発明に係る情報処理システムは、コンテンツを表示する表示面を備える表示装置１及び該コンテンツを撮像する撮像部を備える情報利用装置を備える情報処理システムであって、前記表示装置は、前記表示面を分割した複数の範囲の内、一の範囲を特定する範囲特定情報及び前記表示面のコンテンツを特定するコンテンツ特定情報に基づいた信号であって前記コンテンツを撮像する情報利用装置で検知可能な信号を前記一の範囲に出力する出力部を備え、前記情報利用装置は、前記信号を取得する取得部と、該取得部で取得した信号から前記コンテンツ特定情報及び範囲特定情報を抽出する抽出部とを備える。
【０１００】
本発明に係る情報処理方法は、表示面を分割した複数の範囲の内、一の範囲を特定する範囲特定情報及び前記表示面のコンテンツを特定するコンテンツ特定情報に基づいた信号であって前記コンテンツを撮像する情報利用装置で検知可能な信号を前記一の範囲に出力し、前記信号を取得し、取得した信号から前記コンテンツ特定情報及び範囲特定情報を抽出する。
【０１０１】
本発明に係る情報利用装置は、信号を取得する取得部と、該取得部で取得した信号から前記表示面を分割した複数の範囲の内、一の範囲を特定する範囲特定情報及び前記表示面のコンテンツを特定するコンテンツ特定情報を抽出する抽出部と、該抽出部で抽出したコンテンツ特定情報及び範囲特定情報を情報処理装置へ出力する出力部と、前記コンテンツ特定情報及び範囲特定情報に基づいて特定され、前記表示面に表示されたオブジェクトに関連する関連情報を前記情報処理装置から取得する関連情報取得部とを備える。
【０１０２】
本発明に係る関連情報出力方法は、表示装置の表示面を分割した複数の範囲の内、一の範囲を特定する範囲特定情報及び前記表示面のコンテンツを特定するコンテンツ特定情報を情報利用装置から取得し、取得したコンテンツ特定情報及び範囲特定情報に基づいて特定され、前記表示面に表示されたオブジェクトに関連する関連情報を前記情報利用装置へ出力する。
【０１０３】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。また、各実施の形態は、処理内容を矛盾させない範囲で適宜組み合わせることが可能である。
【符号の説明】
【０１０４】
１  表示装置
２  携帯端末装置（情報利用装置）
３  サーバ（情報処理装置）
２５  表示部
１２  プログラム
【図１】
2017073665.tif 000003
【図２】
2017073665.tif 000004
【図３】
2017073665.tif 000005
【図４】
2017073665.tif 000006
【図５】
2017073665.tif 000007
【図６】
2017073665.tif 000008
【図７】
2017073665.tif 000009
【図８】
2017073665.tif 000010
【図９】
2017073665.tif 000011
【図１０】
2017073665.tif 000012
【図１１】
2017073665.tif 000013
【図１２】
2017073665.tif 000014
【図１３】
2017073665.tif 000015
【図１４】
2017073665.tif 000016
【図１５】
2017073665.tif 000017